(57)【要約】  画面の物理的な保護、画面表示のプライバシー保護、および必要に応じた画面可視化の各機能を兼ね備えた携帯端末を実現する。画面描画処理部（１５）は、タッチパネル（１１）に相対する窓部（２５）が透光性を有するフリップカバー部（２２）がスマートフォン（１）の表示面に重畳していると判定された場合、画面の少なくとも一部の視認性を低下させる。
2018193945.tif 000002
【特許請求の範囲】
【請求項１】
携帯端末の表示面に搭載される画面表示部と、
前記画面表示部に相対する箇所が透光性を有し、かつ、前記表示面から離脱され得る保護カバーが、前記表示面に重畳しているか否かを判定する判定部と、
重畳していると判定された場合、前記画面表示部に表示される画面の少なくとも一部の視認性を低下させる表示制御部とを備えていることを特徴とする携帯端末。
【請求項２】
前記表示制御部は、前記画面の視認性を低下させた後、重畳していないと新たに判定された場合、前記画面の視認性を回復させることを特徴とする請求項１に記載の携帯端末。
【請求項３】
前記表示制御部は、重畳していると判定された場合、前記画面の視認性を時間の経過と共に段階的に低下させることを特徴とする請求項１または２に記載の携帯端末。
【請求項４】
前記保護カバーは、前記保護カバーが前記表示面に重畳しているか否かを示す通知情報を前記携帯端末に通知するための部分を有し、
前記判定部は、前記部分から通知された前記通知情報に基づいて、重畳されているか否かを判定することを特徴とする請求項１〜３のいずれか１項に記載の携帯端末。
【請求項５】
前記部分は磁石であることを特徴とする請求項４に記載の携帯端末。
【請求項６】
前記画面表示部は、ユーザのタッチ入力を検出する機能をさらに有し、
前記表示制御部は、前記タッチ入力が検出された場合、前記画面における前記タッチ入力の位置の前記視認性を回復させることを特徴とする請求項１〜５のいずれか１項に記載の携帯端末。
【請求項７】
前記表示制御部は、前記位置の前記視認性を回復させた後、前記位置の前記視認性を再び低下させることを特徴とする請求項６に記載の携帯端末。
【請求項８】
携帯端末の表示面に搭載される画面表示部を備えている携帯端末の制御方法であって、
前記画面表示部に相対する箇所が透光性を有し、かつ、前記表示面から離脱され得る保護カバーが、前記表示面に重畳しているか否かを判定する判定工程と、
重畳していると判定された場合、前記画面表示部に表示される画面の少なくとも一部の視認性を低下させる表示制御工程とを有することを特徴とする制御方法。
【請求項９】
請求項１〜７のいずれか１項に記載の携帯端末としてコンピュータを機能させるためのプログラムであって、前記各部としてコンピュータを機能させるためのプログラム。
【発明の詳細な説明】
【技術分野】
【０００１】
本発明は、携帯端末、制御方法、およびプログラムに関する。
【背景技術】
【０００２】
近年、スマートフォンのアクセサリーとして、スマートフォンを外部からの衝撃から守る用途の保護ケースが普及している。その１つに、形状がブック状であり、かつ、フリップカバー部の開閉によってスマートフォンの画面を保護するタイプのものがある。【０００３】
近年主流の保護ケースは、フリップカバー部が不透明であり、かつ、スマートフォンの画面の保護のみに使われるタイプのものである。この保護ケースを使う場合、ユーザは、保護カバーを閉じた状態ではスマートフォンの画面を確認できない。これはユーザにとって不便である。【０００４】
最近では、小窓タイプの保護カバーも知られている。この保護カバーでは、フリップカバー部の一部が透過されている。この保護カバーを使う場合、ユーザは、画面に表示される一部の情報を見ることができたり、スマートフォンの一部機能を操作したりすることができる。【０００５】
さらに、フリップカバー部の全面が透明（あるいは半透明）であり、かつ保護カバーを閉じた状態でスマートフォンの画面を確認したりタッチ操作したりできるタイプの保護ケースも、新たに登場している。このタイプの保護カバーの一例が、特許文献１に開示されている。
【先行技術文献】
【特許文献】
【０００６】
【特許文献１】日本国公開特許公報「特開２０１３−２３５５５９号公報（２０１３年１月２５日公開）」
【特許文献２】日本国公開特許公報「特開２０１６−１２６７４０号公報（２０１６年７月１１日公開）」
【特許文献３】日本国公開特許公報「特開２０１７−２１６７３号公報（２０１７年１月２６日公開）」
【発明の概要】
【発明が解決しようとする課題】
【０００７】
フリップカバー部が透明な保護ケースは、カバー越しにスマートフォンの画面を視認できかつスマートフォンを操作できることを、売りとしている。しかし、操作できることと引き換えに、フリップを閉じることの本来の目的の１つである、他人にスマートフォンの画面を見られなくするというプライバシー保護が、おろそかになっている。【０００８】
フリップカバー部が不透明な保護ケースは、他人にスマートフォンの画面を見られなくするというプライバシー保護の点では、ユーザのニーズを満たしている。しかし、保護カバーを閉じた状態では画面を確認できない問題がある。【０００９】
小窓タイプの保護カバーを有する保護カバーは、スマートフォンの画面における部分的な表示を可能とする。しかし、画面のうち固定された一部分が見えるのみであり、かつ一部機能を表示できるに過ぎない。【００１０】
本発明は、前記の課題を解決するためになされたものであり、そしてその目的は、画面の物理的な保護、画面表示のプライバシー保護、および必要に応じた画面可視化の各機能を兼ね備えた携帯端末を提供することにある。
【課題を解決するための手段】
【００１１】
本発明の一態様に係る携帯端末は、携帯端末の表示面に搭載される画面表示部と、前記画面表示部に相対する箇所が透光性を有し、かつ、前記表示面から離脱され得る保護カバーが、前記表示面に重畳しているか否かを判定する判定部と、重畳していると判定された場合、前記画面表示部に表示される画面の少なくとも一部の視認性を低下させる表示制御部とを備えていることを特徴としている。
【発明の効果】
【００１２】
本発明の一態様によれば、画面の物理的な保護、画面表示のプライバシー保護、および必要に応じた画面可視化の各機能を兼ね備えた携帯端末を提供できるという効果を奏する。
【図面の簡単な説明】
【００１３】
【図１】本発明の実施形態１に係るスマートフォンの要部構成を示すブロック図である。
【図２】フリップカバー部の開閉を説明する図である。
【図３】フリップカバー部が閉じられた後にスマートフォンの画面の視認性が低下する様子を説明する図である。
【図４】フリップカバー部が開いた後にスマートフォンの画面の視認性が回復する様子を説明する図である。
【図５】画面の視認性制御を実現するための下位レイヤーおよび上位レイヤーを示す図である。
【図６】画面におけるユーザのタッチ入力の位置の視認性が回復する様子を示す図である。
【図７】ユーザのタッチ入力によって回復した視認性が再び視認性が低下する様子を説明する図である。
【発明を実施するための形態】
【００１４】
〔実施形態１〕
図１〜図７を参照して、本発明に係る実施形態１について以下に説明する。
【００１５】
本実施形態の一局面において、透光性を有する窓部２５が設けられたフリップカバー部２２と、ユーザ操作またはスマートフォン１の状態変化に応じてタッチパネル１１の画面の透過度を制御するソフトウェア処理を組み合わせた保護ケース２およびスマートフォン１が提供される。スマートフォン１は、ユーザがフリップカバー部２２越しに視認する画面の可読度および識別度を制御できる。
【００１６】
（スマートフォン１および保護ケース２の構成）
図１は、本発明の実施形態１に係るスマートフォン１の要部構成を示すブロック図である。図２は、フリップカバー部２２の開閉を説明する図である。図２の（ａ）は、フリップカバー部２２が開いているときの保護ケース２およびスマートフォン１を示す。図２の（ｂ）は、フリップカバー部２２が閉じているときの保護ケース２およびスマートフォン１を示す。
【００１７】
図１に示すように、スマートフォン１（携帯端末）は、タッチパネル１１（画面表示部）、磁気センサ１２、および制御部１３を備えている。制御部１３は、タッチパネル制御部１４、画面描画処理部１５（表示制御部）、および開閉判定部１６（判定部）を備えている。
【００１８】
スマートフォン１は、ユーザによって携帯可能な携帯端末の一種である。ユーザは、スマートフォン１の使用時、保護ケース２にスマートフォン１を装着する。保護ケース２の主な役割は、スマートフォン１を外部の衝撃から保護することである。
【００１９】
図１に示すように、保護ケース２は、スマートフォン装着部２１、フリップカバー部２２（保護カバー）、および磁石２３を有している。スマートフォン装着部２１は、スマートフォン１を保護ケース２に固定的に装着するための部位である。フリップカバー部２２は、スマートフォン１の画面を保護するための、フリップ形状を有しかつ開閉可能なカバーである。ユーザは、保護ケース２のフリップカバー部２２を、自由に開いたり閉じたりすることができる。フリップカバー部２２は、スマートフォン１の表示面に重畳し得たり離脱され得たりする。本実施形態において、磁石２３から放たれる磁力は、フリップカバー部２２が閉じているか否かを示す通知情報として機能する。磁石２３は、この通知情報をスマートフォン１に通知する部分として機能する。
【００２０】
タッチパネル１１は、スマートフォン１の画面表示およびスマートフォン１に対するユーザのタッチ入力（タッチ操作）のためのデバイスである。タッチパネル１１は、スマートフォン１の表示面に搭載される。磁気センサ１２は、磁石２３から放たれる磁力を検出するセンサである。制御部１３は、スマートフォン１の動作全体を制御する。タッチパネル制御部１４は、タッチパネル１１に対するユーザのタッチ操作と、タッチパネル１１に対する画面の表示とを制御する。画面描画処理部１５は、スマートフォン１の画面を描画する。スマートフォン１の画面とは、タッチパネル１１に表示される画面のことである。開閉判定部１６は、フリップカバー部２２が閉じているか否かを判定する。フリップカバー部２２が閉じているか否かを判定することは、フリップカバー部２２がスマートフォン１の表示面に重畳しているか否かを判定することに等しい。
【００２１】
フリップカバー部２２は、周縁部２４および窓部２５を有している。周縁部２４は、窓部２５の周辺に配置されている。窓部２５は、フリップカバー部２２が閉じたときにスマートフォン１の画面に相対する位置に配置されている。磁石２３は、周縁部２４における、フリップカバー部２２が閉じたときに磁気センサ１２に相対する位置に配置されている。磁気センサ１２は、スマートフォン１におけるタッチパネル１１の周囲の領域（額縁領域）に配置されている。磁気センサ１２が配置される位置は、図２に示す位置に限らず、スマートフォン１において磁気センサ１２を配置できる任意の位置であり得る。磁石２３が配置される位置は、スマートフォン１における磁石２３の配置位置に応じて適宜決定される。
【００２２】
周縁部２４は、遮光性を有する材料によって形成されている。窓部２５は、タッチパネル１１に重畳されたときに、窓部２５を通じてタッチパネル１１対するユーザのタッチ操作が可能な材料によって形成されている。窓部２５の材料は透光性を有しており、好ましくは透明である。
【００２３】
図２の（ａ）にようにフリップカバー部２２が開いているとき、フリップカバー部２２はスマートフォン１の表示面に重畳していない。言い換えれば、タッチパネル１１に表示される画面を遮るものはタッチパネル１１の上に何もない。したがってユーザは、スマートフォン１の画面を視認することができる。図２の（ｂ）のようにフリップカバー部２２が閉じられ、窓部２５がタッチパネル１１に重畳しているとき、窓部２５が透光性を有するので、タッチパネル１１に表示される画面は窓部２５によって遮られない。したがってユーザは、窓部２５を通じてスマートフォン１の画面を視認することができる。
【００２４】
（画面視認性の低下処理）
図３は、フリップカバー部２２が閉じられた後にスマートフォン１の画面の視認性が低下する様子を説明する図である。図３の（ａ）では、フリップカバー部２２は開いている。ユーザがフリップカバー部２２を閉じると、図３の（ｂ）のように窓部２５がタッチパネル１１に重畳する。このとき、スマートフォン１は画面の視認性をまだ制御していない。したがって、ユーザは窓部２５越しに画面を視認できる。
【００２５】
フリップカバー部２２が閉じられると、磁気センサ１２は、磁石２３から放たれる磁力を検出する。開閉判定部１６は、磁気センサ１２が磁石２３の磁力を検出することに基づいて、フリップカバー部２２が表示面に重畳したことを判定する。この判定結果に基づいて、画面描画処理部１５は、スマートフォン１の画面の視認性を、時間の経過と共に段階的に低下させる。
【００２６】
画面描画処理部１５は、重畳していると判定されてから一定時間が経過すると、図３の（ｃ）のように、画面の視認性を、画面内の文字情報をユーザが確認し辛い程度の視認性まで低下させる。画面描画処理部１５は、図３の（ｃ）のように視認性を低下させた後、さらに一定時間が経過すると、図３の（ｄ）のように、画面の視認性を、画面内の文字情報をユーザが確認できない程度の視認性にまでさらに低下させる。これにより、画面がフリップカバー部２２によって物理的に保護されると共に、画面のプライバシーが保護される。
【００２７】
画面における視認性が低下される箇所は、画面の全部に限られない。画面描画処理部１５は、画面の少なくとも一部の視認性を低下することができる。画面描画処理部１５は、たとえば、画面における時計の表示領域の視認性は低下させず、残りの領域の視認性は低下させる。画面描画処理部１５は、あるいは、スマートフォン１の電池残量などの情報が表示される画面の上部領域の視認性は低下させず、残りの領域の視認性は低下させる。
【００２８】
（カバー開による視認性回復）
図４は、フリップカバー部２２が開いた後にスマートフォン１の画面の視認性が回復する様子を説明する図である。図４の（ａ）では、フリップカバー部２２は閉じており、かつ、画面の視認性が、画面内の文字情報をユーザが確認できない程度にまで低下している。ユーザがフリップカバー部２２を開くと、図４の（ｂ）のように窓部２５がタッチパネル１１から乖離する。これにより、磁石２３が磁気センサ１２から離れるので、磁気センサ１２は磁石２３の磁力検出を停止する。
【００２９】
開閉判定部１６は、この検出停止に基づいて、フリップカバー部２２が開いたことを新たに判定する。この判定結果に基づいて、画面描画処理部１５は、図４の（ｂ）のようにスマートフォン１の画面の視認性を回復させる。これにより画面の視認性は、フリップカバー部２２が閉じられる前の、通常の視認性にまで回復する。ユーザは、視認性が回復した画面を視認することができる。
【００３０】
図５は、画面の視認性制御を実現するための下位レイヤー３１および上位レイヤー３２を示す図である。下位レイヤー３１は、通常の画像を表示するためのレイヤーである。上位レイヤー３２は、下位レイヤー３１の上に配置され、画面の視認性を制御するための特別な画像を表示するためのレイヤーである。本実施形態では、画面描画処理部１５は、上位レイヤー３２に、画面の曇り状態を表現する画像を表示し、下位レイヤー３１に表示される通常の画像に重畳させることによって、スマートフォン１の画面を描画する。
【００３１】
画面描画処理部１５は、上位レイヤー３２の画像の透過度を変化させることによって、画面の視認性を制御する。たとえば、上位レイヤー３２の画像の透過度を低下させることによって、画面の視認性を低下させることができる。このとき、下位レイヤー３１の画像はそのままの状態を維持させる。これにより、ユーザは、画面の曖昧な状態またはユーザへの通知の有無程度のことであれば、画面を視認することで認識できる。スマートフォン１は、詳細な文字情報などはユーザが認識できない程度の状態で上位レイヤー３２に画像を表示できる。これにより、画面のプライバシー保護を有効にできる。画面描画処理部１５は、上位レイヤー３２の画像の透過度をたとえば９４％（２５５段階中の２４０）にまで低下させれば、画面の視認性を、詳細な文字情報などは認識できない程度にまで低下させることができる。
【００３２】
画面描画処理部１５は、上位レイヤー３２の画像の透過度を低下させた後、上位レイヤー３２の画像の透過度を回復させることによって、画面の視認性を回復させることができる。このときも、下位レイヤー３１の画像はそのままの状態を維持させる。
【００３３】
上位レイヤー３２の画像における透過度が低下される箇所は、画像の全部に限られない。画面描画処理部１５は、上位レイヤー３２の画像の少なくとも一部の透過度を低下させることができる。これにより、画面における所望の箇所の視認性を低下させることができる。
【００３４】
（ユーザ操作による視認性の回復）
図６は、画面におけるユーザのタッチ入力の位置の視認性が回復する様子を示す図である。スマートフォン１は、タッチパネル１１の画面に対するユーザの操作（たとえば画面上の任意の場所を指でなぞるなどの操作）に基づいて、操作された箇所の視認性を回復させる。これにより、画面におけるユーザが視認したい任意の箇所を可視化できる。
【００３５】
図６の（ａ）では、フリップカバー部２２は閉じており、かつ、画面の視認性が、画面内の文字情報をユーザが確認できない程度にまで低下している。ユーザが指で画面内の領域４１をなぞると、タッチパネル制御部１４は、これをタッチパネル１１に対するユーザのタッチ入力として検出する。画面描画処理部１５は、図６の（ｂ）のように、検出されたタッチ入力の位置に対応する領域４１の視認性を回復させる。これによりユーザは、領域４１に表示される情報を視認することができる。
【００３６】
ユーザが、領域４１に続けて領域４２をなぞると、タッチパネル制御部１４は、これをタッチパネル１１に対するユーザの新たなタッチ入力として検出する。画面描画処理部１５は、図６の（ｃ）のように、検出されたタッチ入力の位置に対応する領域４２の視認性を回復させる。画面描画処理部１５は、領域４１の視認性を回復させるまま維持する。これによりユーザは、領域４１および領域４２に表示される情報を視認することができる。
【００３７】
（視認性の再低下）
図７は、ユーザのタッチ入力によって回復した視認性が再び低下する様子を説明する図である。スマートフォン１は、ユーザによって操作された箇所の視認性を、回復させた後、自動的に低下させる。これにより、画面のプライバシー保護を再び有効にすることができる。
【００３８】
図７の（ａ）では、ユーザによってなぞられた領域４１および領域４２の視認性が、回復している。領域４１の視認性が回復してから一定時間が経過すると、画面描画処理部１５は、図７の（ｂ）のように、領域４１の視認性を、画面内の文字情報をユーザが確認し辛い程度の視認性まで再び低下させる。このとき、領域４２の視認性は回復したままである。
【００３９】
それからさらに一定時間が経過すると、画面描画処理部１５は、図７の（ｃ）のように、領域４１の視認性を、画面内の文字情報をユーザが確認できない程度の視認性にまでさらに低下させる。画面描画処理部１５は、さらに、領域４２の視認性を、画面内の文字情報をユーザが確認し辛い程度の視認性まで再び低下させる。
【００４０】
それからさらに一定時間が経過すると、画面描画処理部１５は、図７の（ｄ）のように、領域４２の視認性を、画面内の文字情報をユーザが確認できない程度の視認性まで再び低下させる。これにより、画面全体の視認性が、ユーザによって画面がなぞられる前の視認性に戻る。
【００４１】
〔実施形態２〕
本実施形態に係るスマートフォン１は、図示しないグリップセンサを備えている。グリップセンサは、ユーザがスマートフォン１を握ったことを検出するセンサである。グリップセンサは、スマートフォン１本体の左右にそれぞれ配置される。開閉判定部１６は、フリップカバー部２２の開閉を、磁気センサ１２による検出結果ではなくグリップセンサによる検出結果に基づいて判定する。したがって、保護ケース２に磁石２３を備える必要がない。
【００４２】
〔実施形態３〕
本実施形態に係るスマートフォン１は、フリップカバー部２２の開閉状態をスマートフォン１に通知するためのアイコンを、画面に表示する。ユーザによるアイコンのタッチ入力を検出することが、磁気センサ１２が磁石２３の磁力を検出することとして、機能する。言い換えれば、開閉判定部１６は、フリップカバー部２２の開閉を、磁気センサ１２による検出結果ではなくアイコンへのタッチ入力の検出結果に基づいて判定する。スマートフォン１は磁気センサ１２を備えている必要がなく、保護ケース２は磁石２３を備えている必要がない。実施形態２のようなグリップセンサも必要ではない。これにより、スマートフォン１および保護ケース２の構成をより一層簡素にすることができる。
【００４３】
〔ソフトウェアによる実現例〕
スマートフォン１の制御ブロック（特にタッチパネル制御部１４、画面描画処理部１５、および開閉判定部１６）は、集積回路（ＩＣチップ）等に形成された論理回路（ハードウェア）によって実現してもよいし、ＣＰＵ（Central Processing Unit）を用いてソフトウェアによって実現してもよい。
【００４４】
後者の場合、スマートフォン１は、各機能を実現するソフトウェアであるプログラムの命令を実行するＣＰＵ、前記プログラムおよび各種データがコンピュータ（またはＣＰＵ）で読み取り可能に記録されたＲＯＭ（Read Only Memory）または記憶装置（これらを「記録媒体」と称する）、前記プログラムを展開するＲＡＭ（Random Access Memory）などを備えている。そして、コンピュータ（またはＣＰＵ）が前記プログラムを前記記録媒体から読み取って実行することにより、本発明の目的が達成される。前記記録媒体としては、「一時的でない有形の媒体」、例えば、テープ、ディスク、カード、半導体メモリ、プログラマブルな論理回路などを用いることができる。また、前記プログラムは、該プログラムを伝送可能な任意の伝送媒体（通信ネットワークや放送波等）を介して前記コンピュータに供給されてもよい。なお、本発明の一態様は、前記プログラムが電子的な伝送によって具現化された、搬送波に埋め込まれたデータ信号の形態でも実現され得る。
【００４５】
〔まとめ〕
本発明の態様１に係る携帯端末は、携帯端末の表示面に搭載される画面表示部と、前記画面表示部に相対する箇所が透光性を有し、かつ、前記表示面から離脱され得る保護カバーが、前記表示面に重畳しているか否かを判定する判定部と、重畳していると判定された場合、前記画面表示部に表示される画面の少なくとも一部の視認性を低下させる表示制御部とを備えていることを特徴としている。
【００４６】
前記の構成によれば、画面の物理的な保護、画面表示のプライバシー保護、および必要に応じた画面可視化の各機能を兼ね備えた携帯端末を提供できる。
【００４７】
本発明の態様２に係る携帯端末は、前記態様１において、前記表示制御部は、前記画面の視認性を低下させた後、重畳していないと新たに判定された場合、前記画面の視認性を回復させることを特徴としている。
【００４８】
前記の構成によれば、画面の保護が不要な場合にユーザに画面を視認させることができる。
【００４９】
本発明の態様３に係る携帯端末は、前記態様１または２において、前記表示制御部は、重畳していると判定された場合、前記画面の視認性を時間の経過と共に段階的に低下させることを特徴としている。
【００５０】
前記の構成によれば、プライバシー保護が有効になることをユーザに知らせることができる。
【００５１】
本発明の態様４に係る携帯端末は、前記態様１〜３のいずれかにおいて、前記保護カバーは、前記保護カバーが前記表示面に重畳しているか否かを示す通知情報を前記携帯端末に通知するための部分を有し、前記判定部は、前記部分から通知された前記通知情報に基づいて、重畳しているか否かを判定することを特徴としている。
【００５２】
前記の構成によれば、保護カバーが携帯端末に重畳しているか否かを簡単に判定できる。
【００５３】
本発明の態様５に係る携帯端末は、前記態様４において、前記部分は磁石であることを特徴としている。
【００５４】
前記の構成によれば、保護カバーの構成を簡素にできる。
【００５５】
本発明の態様６に係る携帯端末は、前記態様１〜５のいずれかにおいて、前記画面表示部は、ユーザのタッチ入力を検出する機能をさらに有し、前記表示制御部は、前記タッチ入力が検出された場合、前記画面における前記タッチ入力の位置の前記視認性を回復させることを特徴としている。
【００５６】
前記の構成によれば、ユーザは画面における所望の箇所を視認できる。
【００５７】
本発明の態様７に係る携帯端末は、前記態様６において、前記表示制御部は、前記位置の前記視認性を回復させた後、前記位置の前記視認性を再び低下させることを特徴としている。
【００５８】
前記の構成によれば、プライバシー保護を再び有効にできる。
【００５９】
本発明の態様８に係る制御方法は、携帯端末の表示面に搭載される画面表示部を備えている携帯端末の制御方法であって、前記画面表示部に相対する箇所が透光性を有し、かつ、前記表示面から離脱され得る保護カバーが、前記表示面に重畳しているか否かを判定する判定工程と、重畳していると判定された場合、前記画面表示部に表示される画面の少なくとも一部の視認性を低下させる表示制御工程とを有することを特徴としている。
【００６０】
前記の構成によれば、画面の物理的な保護、画面表示のプライバシー保護、および必要に応じた画面可視化の各機能を、携帯端末に兼ね備えさせることができる。
【００６１】
本発明の各態様に係る携帯端末は、コンピュータによって実現してもよく、この場合には、コンピュータを前記携帯端末が備える各部（ソフトウェア要素）として動作させることにより前記携帯端末をコンピュータにて実現させる携帯端末のプログラム、およびそれを記録したコンピュータ読み取り可能な記録媒体も、本発明の範疇に入る。
【００６２】
本発明は上述した各実施形態に限定されるものではなく、請求項に示した範囲で種々の変更が可能である。異なる実施形態にそれぞれ開示された技術的手段を適宜組み合わせて得られる実施形態も、本発明の技術的範囲に含まれる。各実施形態にそれぞれ開示された技術的手段を組み合わせることによって、新しい技術的特徴を形成することもできる。
【符号の説明】
【００６３】
１  スマートフォン  ２  保護ケース  １１  タッチパネル  １２  磁気センサ  １３  制御部  １４  タッチパネル制御部  １５  画面描画処理部  １６  開閉判定部  ２１  スマートフォン装着部  ２２  フリップカバー部  ２３  磁石  ２４  周縁部  ２５  窓部  ３１  下位レイヤー  ３２  上位レイヤー  ４１，４２  領域
【図１】
2018193945.tif 000003
【図２】
2018193945.tif 000004
【図３】
2018193945.tif 000005
【図４】
2018193945.tif 000006
【図５】
2018193945.tif 000007
【図６】
2018193945.tif 000008
【図７】
2018193945.tif 000009
【国際調査報告】
2018193945.tif 000010
2018193945.tif 000011